(57)【特許請求の範囲】
【請求項１】
画像センサー装置からの信号ライン上のクロストーク・ノイズをキャンセルする装置において、
複数の前記信号ラインのうち第１の信号ラインに結合される補償回路が前記第１の信号ラインの電流、電圧またはインピーダンスを、前記第１の信号ラインとは異なる少なくとも１つの信号ラインを表す第２の信号ラインの電流、電圧またはインピーダンスに応答して調整し、前記第１の信号ライン上に少なくとも前記第２の信号ラインによって発生するクロストーク・ノイズを少なくとも部分的にキャンセルすることを特徴とするクロストーク・ノイズキャンセル装置。
【請求項２】
原稿からの光を検出する画像取り込み装置と、前記画像取り込み装置により生じる画像信号からの画像データを発生するアナログデジタルコンバーターと、異なる各色に対応する画像信号を前記画像取り込み装置から前記アナログデジタルコンバーターに送るための分離した複数のアナログ信号路とを有するスキャナー装置において、
少なくとも１つの補償回路が前記アナログ信号路間を結合し、前記結合されたアナログ信号路のうち第１のアナログ信号路の電流、電圧またはインピーダンスを、前記第１のアナログ信号路とは異なる少なくとも１つのアナログ信号路を表す第２のアナログ信号路の電流、電圧またはインピーダンスに応答して調整し、前記第１のアナログ信号路上に少なくとも前記第２のアナログ信号路によって発生するクロストーク・ノイズをキャンセルすることを特徴とするスキャナー装置。
【請求項３】
複数の信号ラインのうち第１の信号ラインの電流、電圧またはインピーダンスを、前記第１の信号ラインとは異なる少なくとも１つの信号ラインを表す第２の信号ラインの電流、電圧またはインピーダンスに応答して調整し、前記第１の信号ライン上に少なくとも前記第２の信号ラインによって発生するクロストーク・ノイズをキャンセルすることを特徴とする画像センサー装置からの信号ライン上のクロストーク・ノイズをキャンセルする方法。
【発明の詳細な説明】
【０００１】
【産業上の利用分野】
本発明は画像センサーからの信号ライン上に発生するクロストーク・ノイズをキャンセルする方法及び装置に関する。
【０００２】
【従来技術】
フラットベッドスキャナーは例えば、文書をコンピュータシステムにより視認或いは編集できるようにデジタル化するために用いられる装置である。代表的なフラットベッドスキャナーシステムにおいては、原稿文書（以下、原稿と記す）の原稿面を平坦な透明基準面に置く。原稿文書をその面に固定し原稿の一ライン（以下、走査ラインと記す）を上方から照射する。走査ラインから反射された光は光学系に導かれ、電荷結合デバイス（ＣＣＤ）アレイ、又はＣＭＯＳセンサー等のセンサー上に走査ライン画像を形成する。センサーは光学信号を電子的表現に変換する。電子的表現とは、通常走査ラインに沿った画素のレベルに対応する電圧列である。原稿の走査は照射システム、光学系及びＣＣＤセンサーを原稿に対して以下「走査軸」と称する方向に移動させることにより行われる。しかし、原稿文書を固定光学系に対して移動させる、シートフィードスキャナーもある。
【０００３】
近年、トリリニアＣＣＤがカラースキャニングの分野で益々一般的になっている。代表的なトリリニアＣＣＤは、三列のフォトセンサーからなる。各列のフォトセンサー（以下フォトセンサーアレイと呼ぶ）は、ＲＧＢ一体型分光フィルターストライプにより被覆されている。ＣＣＤを端部から見ると、三色の画素センサーアレイ（赤、緑、青（ＲＧＢ））は物理的チャンネル又は空隙により分割されている。チャンネル間空間を以下、光学ライン間隔（ＯＬＳ）と呼ぶ。
【０００４】
三列のフォトセンサーアレイは個々に駆動され、入射光を各電荷に変換する。所定の露光後、フォトセンサーアレイを構成するフォトダイオードがそれぞれの電荷を対応するシフトレジスターに送る。更にこの電荷は出力ステージに移送される。シフトレジスターは奇数番目及び偶数番目のフォトダイオードに結合され、その内部の電荷が出力ステージにインターレース的に移送される。このインターレース方式により、偶数番目及び奇数番目のサンプルからの電荷を順番に出力する事が可能になる。各色からの電荷は代表アナログ電圧に変換され、単一のA/Dコンバーターにマルチプレックスされる。A/Dコンバーターは一つのアナログ電圧をデジタル化することしか出来ないので、マルチプレクサーがA/Dコンバーターのデータ受信ポートに内蔵されている。マルチプレクサーの制御ロジックにより赤、緑、青（Ｒ、Ｇ、Ｂ）の電圧が実際のアナログ／デジタル変換回路要素に順次送られる。例えば、ＲＧＢのサンプルデータを表す電圧を、マルチプレクサーに接続された三つのアナログ信号線上に出力する。順次、これらの電圧の各々がA/Dコンバーター回路要素に送られ、デジタル化される。三つの電圧の各々がデジタル化されると、次のＲＧＢのサンプルデータを表す電圧の新たな組がアナログ信号線に出力される。
【０００５】
【発明が解決しようとうとする課題】
すべてのアナログ信号が唯一のA/Dコンバーターを通過するので、A/Dコンバーター内でのカップリングにより他の色からのアナログ電圧が有効色のアナログ電圧に結合することがおこる。（デジタル化される前の）画像の取り込みの際のマルチカラー信号のクロスカップリングによるノイズをクロストーク・ノイズと呼ぶ。マルチプレクサーに与えられる三つのアナログ電圧の各々は原稿の位置の異なる画素を表現するので、上記の原因による異常が、結果として得られるデジタル画像内に広がる。このような異常はときには肉眼でも認知されることもある。従って、最終的に得られるデジタル画像に異常が起こらないようにクロストーク・ノイズをキャンセルする方法及び装置が必要となる。
【０００６】
【課題を解決するための手段及び作用】
本発明によれば、画像センサーからの信号ライン上に発生するクロストーク・ノイズをキャンセルする方法及び装置が提供される。具体的には、好適実施例において、クロストーク・ノイズは補償回路、好適には、信号ライン間に結合されるカレントミラー、によりキャンセルされる。このカレントミラーがクロストーク・ノイズの大きさに比例し、かつ極性の反対の電流を引き出すことにより、信号ライン上の電圧レベルを調整する。カレントミラーは更に別の信号ライン上の電圧レベルにより発生するクロストーク・ノイズに比例する電流を調整すべき信号ラインから引き出すことにより、該信号ライン上の電圧を調整する。このようなカレントミラーにより、不本意なノイズによる異常をおこすこと無く、信号ラインを介してA/Dコンバーターに画素データを送ることが可能になる。
【０００７】
一般に、一要旨によれば、本発明は画像センサー装置からの信号ライン上のクロストーク・ノイズをキャンセルする装置である。補償回路は第１の信号ラインに結合され、第２の信号ラインに応答して、第２の信号ラインにより第１の信号ラインに発生するクロストーク・ノイズを少なくとも部分的にキャンセルするように第１のラインの電気的特性を調整する。
【０００８】
具体的な実施例において、補償回路は第２の信号ラインの電気的特性に応答し第１の信号ラインの電気的特性を調整する。一好適実施例において、例えば、第１の信号ラインの電気的特性とはそのラインからの引き出される電流であり、第２のラインの電気的特性とはそのラインにかかる電圧である。
【０００９】
一般に、別の要旨によれば、本発明は画像取り込み装置と、アナログデジタルコンバーターと、異なる各色に対応する画像信号を画像取り込み装置からアナログデジタルコンバーターに送る分離した複数のアナログ信号路とを有するスキャナーである。少なくとも、一補償回路が該アナログ信号路間を結合し少なくとも該アナログ信号路間のクロストーク・ノイズを部分的にキャンセルする。
【００１０】
最後に、本発明は画像センサー装置からの信号ライン上のクロストーク・ノイズをキャンセルする方法に関する。本方法は、補償回路を第１の信号ラインと結合し、該補償回路により第１信号ラインの電気的特性を第２の信号ラインの電気的特性に応答して調整し、第２の信号ラインにより第１の信号ライン上に発生するクロストーク・ノイズをキャンセルする。
【００１１】
本発明の様々な構成及び部分的組み合わせによる新規性を含む上記及びその他の特徴、及びその他の長所は添付図面を参照することにより、より詳しく記述され、また、請求項に列挙される。本発明を採用する特定な方法及び装置が図解により示されるが、これらが本発明を制限するものでないことは理解されるであろう。本発明の原理及び特徴は無数の様々な実施例により実施し得る。
【００１２】
【実施例】
図において、図１はトリリニアカラーフォトセンサーアレイによるイメージングシステムの一実施例の部分構成を示す。本イメージングシステムの構成及び構造は本分野で周知の如く変形可能である。例えば、如何なるマルチチャンネル画像取り込み装置を使用しても構わない。フォトセンサーは通常、ＣＣＤか、同様なＣＭＯＳセンサー装置である。イメージングシステムはガラス板基準面１２を有する反射型或いは透過型フラットベッドスキャナー１及び、光源１４を含む原稿照射システムを含む。関連光学系としてリレーミラー１６及び１８，３色の走査ラインからなる画像をＣＣＤ４０Ａに結像する拡大レンズ２０を具備する。直線駆動システムは照射システム、光学系及びＣＣＤとを保持するキャリッジをＹ軸方向に沿って駆動させ順次走査ラインを検出する。走査すべき原稿１０はガラス面１２上に置かれ、図１のシステムにおいて光源１４により透過的に照射される。本発明の効果は透過型走査において最大限に発揮されるが、反射型走査においても、相応の効果が得られる。図１における、最終的に得られる画像はミラー１６及び１８よりなる光路を介してＣＣＤ４０に反射される。
【００１３】
カラー走査の際、原稿の３本の走査ラインが光源１４からの白色光ビームにより照射される。反射光はレンズ２０によりＣＣＤアレイ４０に結像される。画像のカラー成分は３列分離のフォトセンサーを有するＣＣＤ４０により順次取り込まれる。各列のフォトセンサーは赤、緑又は青のフィルターを有し、対応するセンサーアレイにおいて取り込まれたカラー成分の表現を獲得する。アレイが十分な数の電子を捕獲すると、ＣＣＤはＣＣＤ４０に組み込まれた奇数番目及び偶数番目のシフトレジスター（図示せず）にその信号を送る。電子は出力ステージに移送され、奇数列及び偶数列データをインターレース的に一つのファイルとして再構築し、これらをアナログ信号ラインＶＩＤ＿Ｒ、ＶＩＤ＿Ｇ、ＶＩＤ＿Ｂ上のアナログ信号に変換する。これらは各シフトレジスターに保持されるカラー成分に対応する。これらのアナログ信号はマルチプレクサー１７に入力され、順次A/Dコンバーター回路１９に送られる。その後これら信号はメモリ２１に保持される。
【００１４】
図２及び３はトリリニアＣＣＤ４０の赤（Ｒ）４２、緑（Ｇ）４４、青（Ｂ）４６のセンサーが分光用カラーフィルターストライプ列からなる様子を示す。図３は真ん中の列のセンサー、即ち緑センサーアレイ４４により検知される画素データを示す。一般にＣＣＤ４０はアナログ固体素子であり、光入力量３０を比例する出力電荷量に変換する。ＣＣＤセンサーは反射光の光強度を測定し、その光をウェル内の電子に変換し保持する。各列のカラーセンサーは走査されるラインの画素のカラー値を表す複数の電圧を発生させる。
【００１５】
具体的には、フォトセンサーは、入射光から電子を集め始める前に所定の「黒レベル」に初期化される。それ故、フォトセンサーの初期値は電子が集積されていない状態を表す。その後、フォトセンサーは所定の時間、入射光に露光され複数の電子が集められる。電子の数は入射光の対応する各色成分の強度、つまり「白レベル」に比例する。ＣＣＤの出力ステージから出力される電圧は所定の黒レベルに対応する電圧と集められた電子に対応する電圧、即ち、検出された白レベルの差となる。従って、ＣＣＤの出力ステージは白検出強度の増加とともに負の方向に増加する信号を発生する。
【００１６】
ＣＣＤ４０から出力されるアナログ信号は通常、適当なA/Dコンバーター、例えば、アナログデバイス社（Ａｎａｌｏｇ  Ｄｅｖｉｃｅｓ  Ｃｏｒｐｏｒａｔｉｏｎ）のAD９８０７、によりデジタルデータに変換される。デジタルデータは図示しないこの分野で周知の更なる処理を経て、ＣＣＤセンサー素子及びアナログ電子回路の非均一性による欠陥が補償される。
【００１７】
図４は走査Ｙ方向のＣＣＤ４０の断面（図２のライン４−４）を模式的に示す。通常、マスターセンサーとしての赤センサーアレイ４２は、走査Ｙ方向のリードセンサーであり、通常、緑センサーアレイ４４及び青センサーアレイ４６がそれぞれ後に続く。赤４２，緑４４のセンサーアレイ、及び緑４４、青４６のセンサーアレイは、チャンネル即ち、空隙５０及び５２により、それぞれ分離される。通常、チャンネル５０及び５２は等幅に形成される。各チャンネル幅は、ＣＣＤに沿って長手方向に測られ、アレイ４２、４４、４６の隣接するフォトセンサー要素又は画素の中心間距離、又はエッジ間距離の整数倍に等しくなっている。図示目的の為に、チャンネル５０及び５２の長さは２１光学画素長に等しいもとする。しかし、本発明を採用する走査システムは均一なチャンネル間隔で無くても、或いはピクセル長の整数倍でなくても良い。
【００１８】
一般に、光学ライン間隔は中心間距離として測定されるフォトセンサーアレイ間のチャンネル間距離である。赤−緑間の光学ライン間隔５４（図４ではエッジ間距離）は赤及び緑のフォトセンサーアレイ間のチャンネル間距離であり、以下ＯＬＳ（Ｒ：Ｇ）としても言及される。緑−青間の光学ライン間隔５６は緑及び青のフォトセンサーアレイ間のチャンネル間距離であり、以下ＯＬＳ（Ｇ：Ｂ）としても言及される。赤−青間の光学ライン間隔１１０は赤及び青のフォトセンサーアレイ間のチャンネル間距離であり、以下ＯＬＳ（Ｒ：Ｂ）としても言及される。各フォトセンサーアレイ４２，４４，４６の走査Ｙ方向の幅は１画素であるので、ＯＬＳ（Ｒ：Ｇ）５４及びＯＬＳ（Ｇ：Ｂ）５６のそれぞれは２２光学画素長（１５４ミクロン）に等しい。ここで１光学画素長は７ミクロンである。ＯＬＳ（Ｒ：Ｂ）１１０は４４光学画素長（３０８ミクロン）である。
【００１９】
図５は上記の特徴を有するＣＣＤ４０の走査システムが光学走査を実行する方法を模式的に示す。原稿１０が上面図で示されるのに対しＣＣＤ４０は端面図で示される。ラインＲ（Ｎ＋４４）、Ｇ（Ｎ＋２２）、Ｂ（Ｎ）は、増加する時間ｔＮ＋４４（Ｎは整数）において、同時に走査されるラインである。
【００２０】
通常、赤４２，緑４４，青４６のカラーフォトセンサーが原稿１０のそれぞれの部分を同時に走査する。それ故、データ採取の各サイクルは三つの異なるライン走査となり、各色について、原稿の異なる三つの位置から取り込まれたものとなる。図５は更に赤画素データのＮ＋４４ラインが走査された後の走査ラインを示す。ＣＣＤのＲＧＢフォトセンサー４２，４４，４６が一定の距離離間しているので同時に走査されたラインＲ（Ｎ＋４４）、Ｇ（Ｎ＋２２）、Ｂ（Ｎ）はＯＬＳ（Ｒ：Ｇ）５４（本例においては、ＯＬＳ（Ｇ：Ｂ）に等しい）の距離で隔てられいる。図５は、赤画素Ｒ（Ｎ＋４４）についての現行ラインがＯＬＳ（Ｇ：Ｂ）５６（２２光学画素長）に等しい距離で緑画素データＧ（Ｎ＋２２）についての走査ラインに対しずれている様子を示す。緑画素データＧ（Ｎ＋２２）の走査ラインは青画素データＢ（Ｎ）の走査ラインに対して、同じＯＬＳ（Ｒ：Ｇ）５４だけずれている。赤画素Ｒ（Ｎ＋４４）の走査ラインは青画素データＢ（Ｎ）の走査ラインに対して、ＯＬＳ（Ｒ：Ｂ）１１０（４４光学画素長）だけずれている。
【００２１】
本走査システムではＣＣＤから出力されるアナログ走査信号のすべてを単一のA/Dコンバーターにて通過させる。従って、Ｒ、Ｇ又はＢ信号からのノイズが例えばA/Dコンバーター内で、他の信号と結合し得る。このような現象を「クロストーク」と呼ぶ。これは、走査された画像において急激な画素値の遷移が生じた時に結果として生じるデジタル画像内でとりわけ顕著になる。急激な遷移によりクロストークが生じ、他のカラーチャンネルに結合する。
【００２２】
図６は上述のチャンネル間クロストーク・ノイズをキャンセルする為の本発明の実施例を示す。ＣＣＤ４０は赤（ＶＩＤ＿Ｒ）６０、緑（ＶＩＤ＿Ｇ）６２及び青（ＶＩＤ＿Ｂ）６４の出力信号を運ぶアナログ信号ラインを分離するように接続される。アナログ信号ライン６０−６４は単一のA/Dコンバーター１９にマルチプレクサー１７を介して接続される。各アナログ信号ライン間においてカレントミラー７０ａ−７０ｃが接続されている。各カレントミラー７０ａ−７０ｃはクロストーク・ノイズが生じるアナログ信号ラインに結合される第１ポートを有する。カレントミラー７０ａ−７０ｃは関連するクロストーク・ノイズの量に比例した、負に極性化された電流を制御し各アナログ信号ラインから引き出す。このように、各アナログ信号ライン上に生じるクロストーク・ノイズ量の分キャンセルされる。
【００２３】
クロストーク・ノイズは正又は負どちらかの極性を持つものとして以下言及する。クロストーク・ノイズの極性はテスト画像に与えられた異常（aberration）内の平均画素値を測定することにより判定される。そのテスト画像は黒画素等の暗い大きな画素エリアによって囲まれた白画素等の明るい小さな画素エリアを持つものである。クロストークは通常、明るい画素がずれて暗い画素エリアにゴーストとして最終デジタル画像に現れる。このゴースト画像は周りの暗い画素より明るいこともあれば、周りの暗い画素より更に暗いこともある。ゴースト画像が周りの暗い画素より明るい画素を含む場合、これらは暗い画素より大きな値を持つ。この種のクロストークを「正のクロストーク」と呼び、これはアナログ信号をA/Dコンバーター１９に転送する際に対応するアナログ信号ラインからの減少電流の引き出し（ｄｒａｗ）によりキャンセル可能である。ゴースト画像が暗い画素より更に暗い画素を含む場合、これらは周りの暗い画素より小さい値を持つ。この種のクロストークを「負のクロストーク」と呼び、これはアナログ信号をA/Dコンバーター１９に転送する際に対応するアナログ信号ラインからの増加電流の引き出しによりキャンセル可能である。
【００２４】
更には、正又は負のクロストークがいずれのアナログ信号ライン上に発生しているかを判定する方法は、テスト画像を走査し、その走査画像を各色成分に分解し、各カラーチャンネルについて他のカラーチャンネルのそれぞれによる混信量を測定し、回路インピーダンス、抵抗或いはクロストークをキャンセルするために必要なその他の回路要素の値から決定する。本発明を実行可能な例示回路を図７Ａ，７Ｂ，７Ｃに示す。上述のテスト画像をカレントミラー７０ａ−７０ｂに関連する抵抗８４−９０を配置しない状態で図６の走査システムを用いて走査する。結果として生じるデジタル画像を色成分に分解、分析する事によりゴースト画像ピクセルの位置を決定する。フォトセンサーアレイの配置に基づき、各色のクロストークにより生ずるゴースト画像ピクセルが各色分解画像のどこに位置するかに基づいてこれらを特定することが可能である。そして、画像のこのエリアを強調しゴースト画像をより明確にする。
【００２５】
次に、Ｒ成分のみを考え、アナログＧ信号ラインによるゴースト画像内の赤画素の平均レベルを周りの暗い画素のＲ成分の平均レベルと比較する。更に同様な測定をしてアナログＢ信号ラインによるゴースト画像内の赤画素の平均レベルがゴースト画像の周りの赤画素の平均レベルと比較して、どの程度高いか低いかを決定する。
【００２６】
これらの測定をテスト画像をＧ成分に分解したときに生じるゴースト画像及び、テスト画像をＢ成分に分解したときに生じるゴースト画像について繰り返し行う。このような操作のサンプル結果を以下に示す。
【００２７】
0004368990.tif 000002
この結果の第一行目は周りの画像の赤画素値に対するアナログＧ信号ラインによるゴースト画像内の平均赤画素値の差が−３．８３で、また、アナログＢ信号ラインによるゴースト画像内の平均赤画素値の差に対する周りの画像の赤画素値の差が＋０．６２であることを示している。この表で第１番目データがないのは、アナログＲ信号ライン自身によってゴースト画像が発生する事は無いことを意味する。上の結果のその他の部分についても同様に解釈する。
【００２８】
差分操作完了後、クロストークの極性を判定する。背景画素の強度をゴースト画像内の画素の平均値から減算するので、正の結果はゴースト画像が背景より明るいことを示す。負の結果はゴースト画像が周りの画素より暗いことを示す。上述の第１測定においては、アナログＧ信号によるゴースト画像内の赤画素の平均値は周りの暗い画素のＲ成分の平均レベルより低い。よって、アナログＧ信号ラインに関して負のクロストークがアナログＲ信号ライン上に結合している。従って、補償のため等価の正のクロストークをアナログＧ信号ラインからアナログＲ信号ラインに結合させる。或いは、アナログＧ信号ラインによるゴースト画像内の赤画素の平均値が周りの暗い画素のＲ成分の平均値より高い場合、正のクロストークがアナログＧ信号ラインに関してアナログＲ信号ライン上に結合している。従って、補償のため等価の負のクロストークをアナログＧ信号ラインからアナログＲ信号ラインに結合させる。
【００２９】
同様に、上述の結果は青アナログ信号によるゴースト画像内の赤画素の平均値が周りの暗い画素のＲ成分の平均レベルより高いことを示している。よって、アナログＢ信号ラインに関して正のクロストークがアナログＲ信号ライン上に結合している。従って、補償のため等価の負のクロストークをアナログＢ信号ラインからアナログＲ信号ラインに結合させる。或いは、アナログＢ信号ラインによるゴースト画像内の赤画素の平均値が周りの暗い画素のＲ成分の平均値より低い場合、負のクロストークがアナログＢ信号ラインに関してアナログＲ信号ライン上に結合している。従って、補償のため等価の正のクロストークをアナログＢ信号ラインからアナログＲ信号ラインに結合させる。
【００３０】
差分処理はアナログＲ及びＧ信号ラインについてのテスト画像のＢ成分において生じるゴースト画像について実行され、更には、アナログＲ及びＢ信号ラインについてのテスト画像のＧ成分において生じるゴースト画像についても実行される。このようにして得られるデータにより各カレントミラー７０ａ−７０ｃの構成が決定される。
【００３１】
上記のサンプルデータではアナログＧ信号ラインに関して、負のクロストークがアナログＲ信号ライン上に結合し、かつアナログＢ信号ラインに関して、正のクロストークがアナログＲ信号ライン上に結合している。従って、アナログＧ信号ラインによる正のクロストーク及びアナログＢ信号ラインによる負のクロストークによりアナログＲ信号ラインを補償する。更にアナログＲ信号ラインからの負のクロストーク及びアナログＢ信号ラインからの負のクロストークによりアナログＧ信号ラインを補償する。更にアナログＲ信号ラインによる正のクロストーク及びアナログＧ信号ラインからの負のクロストークによりアナログＢ信号ラインを補償する。次にこれらの補償を課する為の装置について記述する。
【００３２】
図７Ａ，７Ｂ，７Ｃに、三つのカレントミラー７０ａ−７０ｃの模式表現をそれぞれ示す。具体的にはカレントミラー７０ａについて、１５Ｖ電源を抵抗７４ａの第１端子に接続する。抵抗７４ａは３．３２キロオームの代表値を持つ。抵抗７４ａの他の端子はトランジスタ７６ａのコレクター及びベースに接続される。トランジスタ７６ａのエミッターに第２抵抗７８ａが接続される。抵抗７８ａは４９．９オームの代表値を持つ。トランジスタ７６ａのベース端子はコレクターがアナログＲ信号ライン（ＶＩＤ＿Ｒ）６０に接続される第２トランジスタ８０ａのベース端子に接続される。第２トランジスタ８０ａのエミッターは代表値４９．９オームの第三抵抗８２ａに接続される。このような回路はトランジスタ７６ａに流れる電流量を予測可能に維持できる。同じ電流がアナログＲ信号ライン（ＶＩＤ＿Ｒ）６０から供給され、同じ電流量がトランジスタ８０ａに流れる。
【００３３】
アナログＧ及び／又はＢ信号ライン６２，６４がトランジスタ８０ａのエミッター端子に抵抗８４ａ及び８６ａを介して接続され、信号ライン６２及び／又は６４によるアナログＲ信号ライン上の負のクロストークをキャンセルする。アナログＲ信号ライン上の負のクロストークは低い電圧レベルとして発生する。更に、アナログＧ信号ライン６２及び／又はアナログＢ信号ライン６４がトランジスタ７６ａのエミッター端子に抵抗８８ａ及び９０ａを介してそれぞれ接続され、これらの信号ラインに関してアナログＲ信号ライン上に発生する正のクロストークをキャンセルする。
【００３４】
抵抗対８８ａ及び８４ａ或いは８６ａ及び９０ａは同時に配置されることはない。というのは、対の一方の抵抗は他方の抵抗の効果をうち消してしまうからである。もしこれらの抵抗が同時に配置されると、それぞれの効果が相殺し合い、アナログＲ信号ライン６０上においては何らの効果ももたらされない。
【００３５】
抵抗８４ａ、８６ａ、８８ａ又は９０ａの異なる組み合わせにより、４通りの異なる回路構成が可能である。第１の構成はアナログＧ信号ライン６２に関してアナログＲ信号ライン６０上に負のクロストークが検出され、かつアナログＢ信号ライン６４に関してアナログＲ信号ライン６０上に正のクロストークが検出される場合に用いられる。この構成は上記のサンプル結果の（１）の場合に用いられる。従って、抵抗８４ａを配置し、アナログＧ信号ライン６２をトランジスタ８０ａのエミッタに接続する。また、抵抗９０ａを配置し、アナログＢ信号ライン６４をトランジスタ７６ａのエミッタに接続する。
【００３６】
第１の構成の動作について図８の流れ図を参照し説明する。アナログＢ信号ライン６４がトランジスタ７６ａのエミッタに接続されるので、電流が抵抗９０ａを通り抵抗７８ａに流れ込む。これに応じて、抵抗７８ａにかかる電圧が比例して上昇する（ステップ９０）。更に、トランジスタ８０ａを流れる電流が増加し、これにより、アナログＲ信号ライン６０からより多くの電流を引き出す（ステップ９４）。それ故、アナログＲ信号ライン６０からの増加電流の引き出しにより、該信号の電圧レベルがアナログＢ信号ライン上のクロストークに比例して減少する。よって、アナログＢ信号ラインによるアナログＲ信号ライン６０上の正のクロストーク・ノイズがキャンセルされる（ステップ９５）。
【００３７】
更に、アナログＧ信号ライン６２はトランジスタ８０ａのエミッタに接続されるので、電流が抵抗８４ａを通り抵抗８２ａに流れ込む（ステップ９６）。これに応じて、トランジスタ８０ａにより、抵抗８２ａの電流が、対応する電圧を一定にするように減少する。それ故、トランジスタ８０ａが供給電流量を減少させる。故に、アナログＲ信号ライン６０から引き出される電流が減少する（ステップ９７）。アナログＲ信号ライン６０からの減少電流の引き出しにより、該信号の電圧レベルがアナログＧ信号ライン上の電圧に比例して増加する。よって、アナログＧ信号ラインによるアナログＲ信号ライン６０上のクロストーク・ノイズがキャンセルされる（ステップ９８）。
【００３８】
図９の流れ図を参照し、第２の回路構成をカレントミラー７０ａに関して説明する。この構成はアナログＢ信号ライン６４に関してアナログＲ信号ライン６０上に負のクロストークが検出され、かつアナログＧ信号ライン６２に関してアナログＲ信号ライン６０上に正のクロストークが検出される場合に用いられる。従って、抵抗８６ａを配置し、アナログＢ信号ライン６４をトランジスタ８０ａのエミッタに接続する。また、抵抗８８ａを配置し、アナログＧ信号ライン６２をトランジスタ７６ａのエミッタに接続する。
【００３９】
アナログＧ信号ラインがトランジスタ７６ａのエミッタに接続されるので、電流が抵抗８８ａを通り抵抗７８ａに流れ込む。これに応じて、抵抗７８ａにかかる電圧が比例して上昇する（ステップ１００）。更に、トランジスタ８０ａを流れる電流が増加し、これにより、アナログＲ信号ラインからより多くの電流を引き出す（ステップ１０４）。それ故、アナログＲ信号ラインからの増加電流の引き出しにより、該信号の電圧レベルがアナログＧ信号ライン上の電圧に比例して減少する。よって、アナログＧ信号ラインによるアナログＲ信号ライン６０上の正のクロストーク・ノイズがキャンセルされる（ステップ１０６）。
【００４０】
更に、アナログＢ信号ライン６４はトランジスタ８０ａのエミッタに接続されるので、電流が抵抗８６ａを通り抵抗８２ａに流れ込む（ステップ１１０）。これに応じて、トランジスタ８０ａにより、抵抗８２ａの電流が、対応する電圧を一定にするように減少する。それ故、トランジスタ８０ａが供給電流量を減少させる。故に、アナログＲ信号ライン６０から減少電流が引き出される（ステップ１１２）。アナログＲ信号ライン６０からの減少電流の引き出しにより、該信号の電圧がアナログＢ信号ライン上のクロストークに比例して増加する。よって、アナログＢ信号ラインによるアナログＲ信号ライン６０上のクロストーク・ノイズがキャンセルされる（ステップ１１６）。
【００４１】
次に図１０の流れ図を参照し、第３の回路構成をカレントミラー７０ａに関して説明する。この構成はアナログＢ信号ライン６４及びアナログＧ信号ライン６２に関してアナログＲ信号ライン６０上に負のクロストークが検出される場合に用いられる。従って、抵抗８６ａ及び８４ａを配置し、アナログＢ信号ライン及びアナログＧ信号ラインをトランジスタ８０ａのエミッタに接続する。
【００４２】
アナログＢ信号ライン及びアナログＧ信号ラインがトランジスタ８０ａのエミッタに接続されるので、電流が抵抗８６ａ及び８４ａを通り抵抗８２ａに流れ込む（ステップ１２０）。これに応じて、トランジスタ８０ａにより、抵抗８２ａの電流が、対応する電圧を一定にするように減少する。それ故、トランジスタ８０ａが供給電流量を減少させる（ステップ１２２）。故に、アナログＲ信号ライン６０から減少電流が引き出される。アナログＲ信号ライン６０からの減少電流の引き出しにより、該信号の電圧がアナログＧ及びＢ信号ライン上の電圧に比例して増加する。よって、アナログＲ信号ライン上のクロストーク・ノイズがキャンセルされる（ステップ１２６）。
【００４３】
次に図１１の流れ図を参照し、第４の回路構成を赤カレントミラー７０ａに関して説明する。この構成はアナログＢ信号ライン６４及びアナログＧ信号ライン６２に関してアナログＲ信号ライン６０上に正のクロストークが検出される場合に用いられる。従って、抵抗９０ａ及び８８ａを配置し、アナログＢ信号ライン及びアナログＧ信号ラインをトランジスタ７６ａのエミッタに接続する。
【００４４】
アナログＧ信号ライン及びアナログＢ信号ラインがトランジスタ７６ａのエミッタに接続されるので、電流が抵抗８８ａ及び９０ａを通り抵抗７８ａに流れ込む。これに応じて、抵抗７８ａにかかる電圧が上昇する（ステップ１３０）。それ故、トランジスタ８０ａを流れる電流が増加し、アナログＲ信号ラインからより多くの電流を引き出す（ステップ１３４）。故にアナログＲ信号ラインからの増加電流の引き出しにより、該信号の電圧レベルがアナログＧ及びＢ信号ライン上の電圧に比例して減少する。よって、アナログＲ信号ライン上のクロストーク・ノイズがキャンセルされる（ステップ１３６）。
【００４５】
なお、アナログＧ信号ライン（カレントミラー７０ｂ参照）及びアナログＢ信号ライン（カレントミラー７０ｃ参照）について同様な構成が得られることを言及しておく。
【００４６】
各アナログ信号ラインに結合されるクロストークの種類の判定方法をこれまで述べてきたが、ここで抵抗値８４ａ−８４ｃ、８６ａ−８６ｃ、８８ａ−８８ｃ及び９０ａ−９０ｃの決定について述べる。これらの抵抗の理想抵抗値を求めるために、７８６キロオーム（これは固有回路インピーダンスより導出）を、上記のテスト画像において周りの暗い画素と異なると判断された赤、緑又は青のゴースト画像ピクセルのビット数により除算する。上記の測定を再び以下に記す。
【００４７】
0004368990.tif 000003
ライン（１）は、抵抗８４ａを介してアナログＧ信号ライン６２からアナログＲ信号ライン６０に正のクロストークを結合する必要があることを示している。計算値７８６キロオームをゴースト画像の赤画素の平均値と周りの暗い画素の差、即ち３．８３で割る。この計算により、抵抗８４ａが２０５キロオームとなる。同様に、抵抗９０ａを介してアナログＢ信号ライン６４からアナログＲ信号ライン６０に負のクロストークを結合する必要があることを示している。従って、７８６キロオームをゴースト画像の青画素の平均値と周りの暗い画素の差、即ち０．６２で割る。この計算により、抵抗９０ａが１．２７メガオームとなる。同様な計算により、残りの測定データにより、以下の抵抗値を得る。抵抗８８ｂは４６０キロオーム、抵抗９０ｂは３６４キロオーム、抵抗８４ｃは２７６キロオーム、抵抗９０ｃは２５４キロオームとなる。上述の如く、選択された抵抗（８４ａ、９０ａ、８８ｂ、９０ｂ、８４ｃ及び９０ｃ）がクロストークを補償する。残りの抵抗（この場合、図７Ａ、７Ｂ、７Ｃにおける８６ａ、８８ａ、８８ｂ、８４ｂ、８６ｃ及び８８ｃ）は配置すべきではなく、もし、配置した場合にはクロストーク補償効果が失われる。これらの選択された抵抗値は理想値であり、必要が有れば、更なるクロストークキャンセルを向上させるために修正され得る。
【００４８】
上記のクロストーク補償回路の好適実施例に加え、本分野に精通するものにとっては、用に様々な電気的等価回路を設計利用することが容易であろう。図１２及び１３に数多くの等価回路の内の二つを示す。図１２では、オペアンプを用いた新規のクロストークキャンセル回路を示す。また１３には新たなカレントミラーを示す。回路が本発明により設計され、クロストーク補償信号が一方方向にしか伝達しない場合には、他のトランジスタ回路を用いることが可能である。
【００４９】
図１２は図７Ａの代替であり、Ｒチャンネルのクロストークキャンセル信号を供給する。この回路はオペアンプＱ１、Ｑ２、Ｑ３、Ｑ４及び抵抗Ｒ１乃至Ｒ８を含む。ＲチャンネルへＢ及びＧ信号の正又は負のクロストーク効果が、それぞれ、抵抗＋ＢＲ、−ＢＲ、＋ＧＲ及び−ＧＲによりもたらせられる。図１２と同様な回路によりＧ及びＢのチャンネルにおけるクロストークを排除する事が可能である。
【００５０】
図１３はＲチャンネルのクロストークキャンセル信号を与える代替回路である。この回路はＱ５，Ｑ６及び抵抗Ｒ２１乃至Ｒ２７を含む。Ｇチャンネルのクロストーク効果は抵抗Ｒ２１及びＲ２５によりもたらされ、Ｂチャンネルのクロストーク効果は抵抗Ｒ２２及びＲ２６によりもたらされる。
【００５１】
本発明はとりわけ好適実施例について図解し、記述したが、本分野に精通するものにとっては本発明が添付の請求項により規定されることは容易に理解されるはずであろう。
【００５２】
本発明の好ましい態様を以下に列挙する。
【００５３】
１．画像センサー装置からの信号ライン上のクロストーク・ノイズをキャンセルする装置において、該信号ライン（ＶＩＤ＿Ｒ、ＶＩＤ＿Ｇ、ＶＩＤ＿Ｂ）の第１の信号ラインに結合される補償回路（図７Ａ、７Ｂ、７Ｃ、１２，１３）が該信号ラインの該第１の信号ラインの電流、電圧又はインピーダンスを該信号ライン（ＶＩＤ＿Ｒ、ＶＩＤ＿Ｇ、ＶＩＤ＿Ｂ）の第２の信号ラインの電流、電圧またはインピーダンスに応答して調整して、該信号ラインの該第１の信号ライン上に該信号ラインの該第２の信号ラインにより発生するクロストーク・ノイズを少なくとも部分的にキャンセルすることを特徴とするクロストーク・ノイズキャンセル装置。
【００５４】
２．複数の信号ラインの第１の信号ライン上の電圧レベルが該複数の信号ライン（ＶＩＤ＿Ｒ、ＶＩＤ＿Ｇ、ＶＩＤ＿Ｂ）の該第２の信号ラインからのクロストークにより非常に低いと判定された場合に、該複数の信号ライン（ＶＩＤ＿Ｒ、ＶＩＤ＿Ｇ、ＶＩＤ＿Ｂ）の該第１の信号ラインの電流を減少させることを特徴とする前記１の装置。
【００５５】
３．複数の信号ラインの第１の信号ライン上の電圧レベルが該複数の信号ライン（ＶＩＤ＿Ｒ、ＶＩＤ＿Ｇ、ＶＩＤ＿Ｂ）の該第２の信号ラインからのクロストークにより非常に高いと判定された場合に、該複数の信号ライン（ＶＩＤ＿Ｒ、ＶＩＤ＿Ｇ、ＶＩＤ＿Ｂ）の該第１の信号ラインの電流を増加させることを特徴とする前記１の装置。
【００５６】
４．上記補償回路が  該複数の信号ラインの該第１の信号ラインに結合されるコレクタ端子と、第１抵抗（８２ａ）の第１端子に結合されるエミッタ端子と、ベース端子とを有する第１トランジスタ（８０ａ）を具備し、該第１抵抗（８２ａ）の第２端子が電気的接地され、該第１のトランジスタ（８０ａ）の該ベース端子に接続され、かつ第１の抵抗（７４ａ）を介して電源に接続されるベース端子及びコレクタ端子と、第２の抵抗（７８ａ）の第１端子に接続されるエミッタ端子を有する第２トランジスタ（７６ａ）を具備し、該第２抵抗（７８ａ）の第２端子が電気的に接地され、該複数の信号ラインの該第２の信号ラインが該第１の抵抗（８２ａ）の該第１端子に接続され、該複数の信号ラインの内該第２の信号ラインにより該複数の信号ラインの内該第１の信号ライン上に発生する負のクロストークをキャンセルし、該複数の信号ラインの該第２の信号ラインが該第２の抵抗（７８ａ）の該第１端子に接続され、該複数の信号ラインの内該第２の信号ラインにより該複数の信号ラインの内該第１の信号ライン上に発生する正のクロストークをキャンセルすることを特徴とする上記１の装置。
【００５７】
５．原稿（１０）からの光を検出する画像取り込み装置（４０）と、該画像取り込み装置（４０）により生じる画像信号からの画像データを発生するアナログデジタルコンバーター（１９）と、異なる各色に対応する画像信号を該画像取り込み装置から該アナログデジタルコンバーターに送るための分離した複数のアナログ信号路とを有するスキャナー装置において、少なくともそしちさ、一補償回路（７０ａ）が該アナログ信号路間を結合し該アナログ信号路間のクロストーク・ノイズをキャンセルすることを特徴とするスキャナー装置。
【００５８】
６．該補償回路が該複数のアナログ信号路の該第１の信号路の電流、電圧又はインピーダンスを該複数のアナログ信号路の第２の信号路の電流、電圧またはインピーダンスに応答して調整し、該複数のアナログ信号路の該第１の信号路上に該複数のアナログ信号路の該第２の信号路により発生するクロストーク・ノイズを少なくとも部分的にキャンセルすることを特徴とする上記５の装置。
【００５９】
７．複数のアナログ信号路の第１の信号路上の電圧レベルが該複数のアナログ信号路の該第２の信号路からのクロストークにより非常に低いと判定された場合に、該複数のアナログ信号路の該第１の信号路の電流を減少させることを特徴とする前記６の装置。
【００６０】
８．複数のアナログ信号路の第１の信号路上の電圧レベルが該複数のアナログ信号路の該第２の信号路からのクロストークにより非常に高いと判定された場合に、該複数のアナログ信号路の該第１の信号路の電流を増加させることを特徴とする前記６の装置。
【００６１】
９．信号ラインの第１の信号ラインの電流、電圧又はインピーダンスを該信号ラインの第２の信号ラインの電流、電圧またはインピーダンスに応答して調整して、該信号ラインの該第１の信号ライン上に該複数の信号ラインの該第２の信号ラインにより発生するクロストーク・ノイズをキャンセルすることを特徴とする画像センサー装置からの信号ライン上のクロストーク・ノイズをキャンセルする方法。
【００６２】
１０．複数の信号ラインの第１の信号ライン上の電圧レベルが該複数の信号ラインの該第２の信号ラインからのクロストークにより非常に低いと判定された場合に、該複数の信号ラインの該第１の信号ラインの電流を減少させることを特徴とする前記９の方法。
【００６３】
１１．複数の信号ラインの第１の信号ライン上の電圧レベルが該複数の信号ラインの該第２の信号ラインからのクロストークにより非常に高いと判定された場合に、該複数の信号ラインの該第１の信号ラインの電流を増加させることを特徴とする前記９の方法。
【図面の簡単な説明】
【図１】トリリニアＣＣＤ装置を含む走査システムを示す概略図である。
【図２】図１のトリリニアＣＣＤ装置の斜視図である。
【図３】図１のＣＣＤ装置のフォトセンサー素子を示す。
【図４】図２のトリリニアＣＣＤ装置の断面図である。
【図５】図１の走査システムを用いた画像走査方法を示す。
【図６】クロストーク補償回路を有する走査システムを示す。
【図７】Ａ、Ｂ、Ｃは図６の三つのクロストーク補償回路の回路図である。
【図８】図６の三つのクロストーク補償回路の第１構成の動作を説明する流れ図である。
【図９】図６の三つのクロストーク補償回路の第２  構成の動作を説明する流れ図である。
【図１０】図６の三つのクロストーク補償回路の第３構成の動作を説明する流れ図である。
【図１１】図６の三つのクロストーク補償回路の第４構成の動作を説明する流れ図である。
【図１２】クロストーク補償回路の別の実施例である。
【図１３】クロストーク補償回路の更なる実施例である。
【符号の説明】
１０  原稿
１４  光源
１６  ミラー
１８  ミラー
１９  コンバーター回路
２０  レンズ
４０  ＣＣＤ
４２  フォトセンサーアレイ
４４  フォトセンサーアレイ
４６  フォトセンサーアレイ
【図１】
0004368990.tif 000004
【図２】
0004368990.tif 000005
【図３】
0004368990.tif 000006
【図４】
0004368990.tif 000007
【図５】
0004368990.tif 000008
【図６】
0004368990.tif 000009
【図７】
0004368990.tif 000010
【図８】
0004368990.tif 000011
【図９】
0004368990.tif 000012
【図１０】
0004368990.tif 000013
【図１１】
0004368990.tif 000014
【図１２】
0004368990.tif 000015
【図１３】
0004368990.tif 000016